(57)【要約】【課題】目地を介して隣合う建造物が近接方向に比較的小さく変位して止まった場合に、被災者が該目地を覆うカバー体上を安定して通行し得る床用目地カバー装置を提案する。【解決手段】摺動受枠６１に対向する前側に断面円弧状の湾曲凸面部５２ａを備えた跳上凸部５１が、カバー体２の下面に配設され、該跳上凸部５１の前端と摺動受枠６１の目地側端との間隔を、カバー体２の他端縁と摺動受枠６１の水平受縁６２の外端との間隔よりも長く、かつカバー体２の他端縁と摺動受枠６１の傾斜受縁６３の外端との間隔よりも短くしたものであるから、両建造物８１，８２が近接方向に比較的小さく変位した場合に、傾動したカバー体２が、その他端２ｂと跳上凸部５１の湾曲凸面部５２ａとにより摺動受枠６１に支持された安定した状態となることから、この状態のカバー体２上を被災者が安定して通行できる。【選択図】図９
2018044308.tif 000002
【特許請求の範囲】
【請求項１】
隣接する建造物の床相互間の目地に差し渡されるカバー体の一端が、一方の床の側縁に連結手段を介して傾動可能かつ昇動可能に連結されると共に、該カバー体の他端を自由端とする一方、他方の床の側縁に、該カバー体の自由端が摺動可能に乗載される水平受縁と、該水平受縁の外端から上り勾配で傾斜する傾斜受縁とを備えた摺動受枠が配設されてなる床用目地カバー装置において、
前記カバー体の下面に配設され、前記摺動受枠に対向する前側に、前端から下端に至る断面円弧状の湾曲凸面部が設けられた跳上凸部を備え、
該跳上凸部の前端と前記摺動受枠の目地側端との間隔が、地震のない常態で、該カバー体の他端縁と前記水平受縁の外端との間隔よりも長く、かつ該カバー体の他端縁と前記傾斜受縁の外端との間隔よりも短いことを特徴とする床用目地カバー装置。
【請求項２】
跳上凸部は、断面半円弧状の半円周面部を備え、該半円周面部の幅方向を目地方向に沿って配設されてなるものであり、該半円周面部の前側により湾曲凸面部が構成されていることを特徴とする請求項１に記載の床用目地カバー装置。
【請求項３】
跳上凸部は、少なくとも湾曲凸面部の両側縁に、内側に折曲された折曲端縁が形成されていることを特徴とする請求項１又は請求項２に記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
近年、地震による被害を最小限に留めるために、緩衝機能を備えた免震装置によって下部を支持した建造物が多く建設されている。こうした免震構造の建造物と隣接する人工地盤等の建造物との間には、地震による変位を吸収し得る比較的広幅の目地が形成されており、かかる目地を覆う床用目地カバー装置が配設されている。
【０００３】
こうした床用目地カバー装置として、例えば、特許文献１の構成が提案されている。かかる構成は、図１３に示すように、隣接する建造物１０１，１０２の床相互間の目地１０３に差し渡されるカバー体１１２の下面に、傾斜面部１２２を有する支持部材１２１を備えたものであり、地震の際に両建造物１０１，１０２が近接すると、該カバー体１１２が全体的に上方へ略平行にスライドする所謂固定側せり上がり式の構造である。詳述すると、カバー体１１２は、その一端１１２ａが、一方の床１０５の側縁に上方へ移動可能に連結されると共に、他端１１２ｂを自由端として他方の建造物１０２の側縁に摺動可能に乗載される。そして、カバー体１１２の自由端１１２ｂが乗載される他方の建造物１０２の側縁には、該カバー体１１２の厚みに相当する深さで窪む水平受縁１３２が形成される。さらに、前記支持部材１２１は、その傾斜面部１２２の前端と前記水平受縁１３２の目地側端との間隔ｆが、該水平受縁１３２上に乗載されたカバー体１１２の他端縁と該水平受縁１３２の外端との間隔ｇよりも短くなるように、該カバー体１１２に配設されている。かかる構成は、図１３（Ｂ）のように、地震の際に両建造物１０１，１０２が近接すると、水平受縁１３２の目地側端に支持部材１２１の傾斜面部１２２が当接して、該支持部材１２１が水平受縁１３２に乗り上げていくことにより（図１４（Ａ）参照）、カバー体１１２の全体が上方へ略平行にスライドする。
【先行技術文献】
【特許文献】
【０００４】
【特許文献１】特許３６８２０１４号公報
【発明の概要】
【発明が解決しようとする課題】
【０００５】
上述した特許文献１の従来構成にあっては、地震の際に、支持部材１２１の傾斜面部１２２が水平受縁１３２の目地側端縁に当接することによって、カバー体１１２を上方へ略平行にスライドさせるようにしたものであるから、該地震により両建造物１０１，１０２が近接する方向へ比較的大きく変位すれば、図１４（Ａ）のように該支持部材１２１が水平受縁１３２に乗載され且つ該カバー体１１２の自由端１１２ｂが他方の建造物１０２の床１０６に乗載されるため、該支持部材１２１と自由端１１２ｂとで該カバー体１１２を安定して支持できる。ところが、図１３（Ｂ）のように支持部材１２１が水平受縁１３２に乗載される前の、該支持部材１２１の傾斜面部１２２と該水平受縁１３２の目地側端とが当接している状態では、カバー体１１２が支持部材１２１によって支持されている。そのため、例えば、地震後に、両建造物１０１，１０２が近接方向に比較的小さく変位した位置で止まってしまうと、図１３（Ｂ）のようにカバー体１１２が支持部材１２１の傾斜面部１２２のみで支持された不安定な状態となる。こうした不安定な状態のカバー体１１２上を被災者が通行すると、バランスを崩してしまい易い等、通行に支障を生ずる虞があった。
【０００６】
本発明は、上述したように両建造物が近接方向に比較的小さく変位して止まった状態であっても、被災者がカバー体上を安定して通行し得る床用目地カバー装置を提案するものである。
【課題を解決するための手段】
【０００７】
本発明は、隣接する建造物の床相互間の目地に差し渡されるカバー体の一端が、一方の床の側縁に連結手段を介して傾動可能かつ昇動可能に連結されると共に、該カバー体の他端を自由端とする一方、他方の床の側縁に、該カバー体の自由端が摺動可能に乗載される水平受縁と、該水平受縁の外端から上り勾配で傾斜する傾斜受縁とを備えた摺動受枠が配設されてなる床用目地カバー装置において、前記カバー体の下面に配設され、前記摺動受枠に対向する前側に、前端から下端に至る断面円弧状の湾曲凸面部が設けられた跳上凸部を備え、該跳上凸部の前端と前記摺動受枠の目地側端との間隔が、地震のない常態で、該カバー体の他端縁と前記水平受縁の外端との間隔よりも長く、かつ該カバー体の他端縁と前記傾斜受縁の外端との間隔よりも短いことを特徴とする床用目地カバー装置である。
【０００８】
かかる構成にあっては、地震の際に、両建造物が近接する方向に変位すると、カバー体の他端が、摺動受枠の傾斜受縁に当接して、該傾斜受縁に従って上方へ移動することから、該カバー体が一端へ向かって下り傾斜するように傾動する。その後、跳上凸部の湾曲凸面部が摺動受枠の水平受縁の目地側端に当接して該水平受縁に乗り上げていくことによって、カバー体の他端が上方へ移動し、該跳上凸部が水平受縁上に乗載されると、カバー体の他端が他方の床上に乗載されて、該カバー体の全体が常態から上方へ略平行にスライドした状態となる。この状態から両建造物が離間する方向へ変位した場合には、前記した近接する場合と逆に作動して、元に戻る。こうした本構成は、両建造物が近接方向に変位すると、先ず、カバー体の他端縁が傾斜受縁に当接して該カバー体が傾動することから、この傾動した状態では、該カバー体がその他端縁と一端縁とで支持される。その後、跳上凸部の湾曲凸面部が水平受縁に当接すると、カバー体の、該跳上凸部を配設した部位が、該跳上凸部によって該水平受縁に乗り上がることで、該カバー体の一端が昇動する。この際に、湾曲凸面部は、斜め下方へ突出した湾曲面であることから、上述した従来構成の傾斜面部に比して、近接方向への僅かな変位で、跳上凸部の配設部位を上方へ大きく移動させることができる。そのため、カバー体の他端縁が傾斜受縁からほとんど離れずに、該カバー体の一端を昇動させることができる。このように、本発明の構成では、カバー体の跳上凸部の湾曲凸面部と摺動受枠の水平受縁の目地側端とが当接している状態であっても、該カバー体が、傾斜受縁に接触した他端と該跳上凸部とにより支持されて比較的安定している。したがって、地震により両建造物が近接方向に比較的小さく変位して止まっても、カバー体が安定して支持されるため、被災者が該カバー体上を安定して通行できる。
【０００９】
また、本発明の構成によれば、上述したように両建造物の近接方向への変位が比較的小さい場合には、カバー体が傾動することから、カバー体の他端で建造物の床と段差を生じ、一端で段差を生じない。そのため、前記近接方向に比較的小さく変位した位置で止まった場合には、カバー体の他端でのみ段差を生じ、且つ当該段差はカバー体の厚み（跳上凸部の高さ）よりも低い。一方、上述した特許文献１の従来構成では、両建造物が近接方向に比較的小さく変位した位置で止まると、カバー体の両端に、カバー体の厚み（支持部材の高さ）より低いものの、段差を生じてしまう。こうした段差は車椅子やケガ人の通行に不便であることから、該段差を生じないことが最も好ましく、段差を生じても可及的に低い方が好ましい。本発明は、前記近接方向に比較的小さく変位して止まった場合に、カバー体の他端にのみ段差を生じ、かつ当該段差も低いことから、カバー体の両端に段差を生ずる前記従来構成に比して、車椅子やケガ人が通行し易いという利点がある。
【００１０】
上述した本発明の床用目地カバー装置にあって、跳上凸部は、断面半円弧状の半円周面部を備え、該半円周面部の幅方向を目地方向に沿って配設されてなるものであり、該半円周面部の前側により湾曲凸面部が構成されているものが提案される。
【００１１】
ここで、上述した目地を介して隣接する建造物は、地震の際に、水平方向に相対的に変位するだけでなく、上下方向へも相対的に変位する。こうした上下方向への相対的な変位は、水平方向の変位に比べれば極小さいものの、該上下方向への変位が生ずると、該カバー体が傾動してしまう場合がある。例えば、上述した特許文献１の従来構成にあって、断面三角形状の支持部材が水平受縁上に乗載された状態で、カバー体の一端と連結された建造物が相対的に下方へ変位すると、該支持部材の下端を支点としてカバー体が傾動してしまう。これにより、支持部材の下端に局所的に比較的大きな力が掛かることから、水平受縁上における摺動性が低減し、建造物の水平方向への変位に追従し難くなってしまう虞がある。さらに、支持部材が水平受縁上を無理に摺動すると、該水平受縁の変形や損傷などが生ずる虞もあり、水平方向への変位に一層追従し難くなってしまう。
【００１２】
こうした問題を、本構成によれば、解決できる。すなわち、跳上凸部は、断面半円弧状の半円周面部を備えた構成であることから、カバー体の一端と連結された一方の建造物が相対的に下方へ変位すると、該半円周面部により転動できることから該カバー体が比較的滑らかに傾動できると共に、該傾動した状態であっても水平受縁上で滑らかに摺動できる。さらに、一方の建造物が相対的な下方への変位を繰り返し生じても、水平受縁上に乗載された跳上凸部が、その半円周面部によりスムーズに揺動できる。したがって、本構成によれば、跳上凸部が水平受縁上にある状態で、一方の建造物が相対的に下方へ変位しても、該水平受縁上における所要の摺動性が保たれ得る。
【００１３】
上述した本発明の床用目地カバー装置にあって、跳上凸部は、少なくとも湾曲凸面部の両側縁に、内側に折曲された折曲端縁が形成されている構成が提案される。
【００１４】
かかる構成によれば、地震の際に、隣合う建造物が目地幅方向へ近接するように変位し且つ目地方向へも変位して、跳上凸部が摺動受枠の水平受縁の目地側端に斜めに当接した場合に、該跳上凸部が、その湾曲凸面部の折曲端縁により該水平受縁上に乗り上げ易くなる。そのため、跳上凸部が摺動受枠の水平受縁の目地側端に斜めに当接する場合でも、傾動したカバー体の一端をスムーズかつ安定して昇動させることができる。したがって、本構成によれば、隣合う建造物が近接方向と目地方向とに変位しても、跳上凸部によって、カバー体を傾動した状態から全体的に略平行な状態へ変わる作動がスムーズかつ安定して生ずる。
【発明の効果】
【００１５】
本発明の床用目地カバー装置にあっては、上述したように、両建造物が近接方向に変位した際に、該変位が比較的小さいと、カバー体が傾動し、該変位が大きくなると、カバー体の全体が常態から上方へ略平行にスライドした状態へ変わる。そして、前記近接方向へ比較的小さい変位で止まって、跳上凸部の湾曲凸面部が摺動受枠の水平受縁の目地側端と当接している状態であっても、カバー体が該跳上凸部と他端とにより安定して支持されることから、被災者が該カバー体上を安定して通行できる。
【図面の簡単な説明】
【００１６】
【図１】本実施例の床用目地カバー装置１の常態（施工状態）を示す縦断面図である。
【図２】カバー体２と摺動受枠６１および保持受枠３２とを示す平面図である。
【図３】常態におけるカバー体２の自由端（前端）２ｂを示す拡大縦断面図である。
【図４】常態におけるカバー体２の被連結部２１を示す拡大縦断面図である。
【図５】被連結部２１と連結部３１との分解斜視図である。
【図６】常態におけるカバー体２の跳上凸部５１を示す拡大縦断面図である。
【図７】跳上凸部５１の、（Ａ）側面図と、（Ｂ）底面図である。
【図８】跳上凸部５１の斜視図である。
【図９】隣合う建造物８１，８２が常態から近接する方向へ相対変位した態様を示す説明図である。
【図１０】図９から連続する、近接方向への相対変位の態様を示す説明図である。
【図１１】図１０から連続する、近接方向への相対変位の態様を示す説明図である。
【図１２】カバー体２の乗り上げ状態で、（Ａ）一方の建造物８１が下方へ相対変位した態様と、（Ｂ）該建造物８１が上方へ相対変位した態様とを示す説明図である。
【図１３】従来構成の床用目地カバー装置における、隣合う建造物８１，８２が常態から近接する方向へ相対変位した態様を示す説明図である。
【図１４】同上の従来構成における、一方の建造物８１が下方へ相対変位した態様を示す説明図である。
【発明を実施するための形態】
【００１７】
本発明にかかる実施例を添付図面に従って説明する。
実施例の床用目地カバー装置１は、図１，２に示すように、隣接する建造物８１，８２間に設けられた目地８３を覆うように配設されるものである。ここで、一方の建造物８１は、緩衝機能を備えた免震装置（図示せず）によって下部が支持された免震構造の建造物であり、他方の建造物８２は、該建造物８１の周囲に形成された人工地盤からなる建造物であり、建造物８１と建造物８２とが目地８３を介して隣接している。目地８３は、建造物８１の周囲に沿って所定幅で形成され、地震の際における建造物８１と周囲の建造物８２との水平方向の相対的な揺れを吸収し得るようになっている。尚、本実施例にあって、目地８３の幅方向が、床用目地カバー装置１の前後方向であると共に、該目地８３に沿った方向を、該床用目地カバー装置１の横方向として説明する。そのため、カバー体２の後端２ａが、本発明にかかるカバー体２の一端に相当し、該カバー体２の前端２ｂが、本発明にかかるカバー体２の他端に相当する。
【００１８】
上記他方の建造物８２の床８６の側縁には、後述するカバー体２の厚みに相当する深さで窪ませた支持段縁９１が、前後方向に所定幅で形成されており、該支持段縁９１に摺動受枠６１が配設されている。摺動受枠６１は、支持段縁９１の上面を覆う水平受縁６２と、該水平受縁６２の前端から所定傾斜角度で立ち上がる傾斜受縁６３と、床８６の上面を覆う床受縁６４とを備え、該水平受縁６２と床受縁６４とが傾斜受縁６３を介して連成されてなる。この摺動受枠６１は、目地８３に沿った横方向に延在するように配設されており、その横方向長さは複数個のカバー体２を並設し得る長さとなっている。尚ここで、水平受縁６２の前端が、本発明にかかる水平受縁の外端に相当する。
【００１９】
上記建造物８１の床８５と建造物８２の床８６との間には、目地８３を覆うようにカバー体２が差し渡され、複数個の該カバー体２が、該目地８３に沿う横方向に連続状に並設される。カバー体２は、その後端（一端）２ａに設けられた被連結部２１と建造物８１の床８５の側縁に設けられた連結部３１とを介して、該建造物８１の床８５に連結されている。そして、カバー体２は、その前端（他端）２ｂを自由端としており、該自由端が、上記した支持段縁９１に配設された摺動受枠６１上に摺動可能に乗載される。尚、カバー体２は、地震のない常態で、略水平方向に沿って、前記目地８３間に差し渡されている。
【００２０】
カバー体２は、上面が開口した浅底矩形状の主筐体部１１により構成されてなり、該主筐体部１１の前端部に、端部カバー板１２が該カバー体２の前端から突出するように配設されている。主筐体部１１は、ステンレス製又はスチール製の薄肉鋼板から成形されてなり、矩形状の底板部１１ａと、該底板部１１ａの左右側端から夫々立設された左右の側壁部（図示せず）と、該底板部１１ａの前端から立設された前壁部１１ｂとを備える。さらに、底板部１１ａの後端には、後述する外板部２２ｂが接合されている。左右の側壁部と前壁部１１ｂとの当接縁および該側壁部と外板部２２ｂとの当接縁は溶接を介して固着されている。また、底板部１１ａ上には、目地８３の幅方向に沿った複数の補強梁１３が所定間隔で配設されている。各補強梁１３は、底板部１１ａに溶接を介して固着されており、該底壁部の面方向の強度と剛性とを向上させる。さらに、カバー体２の主筐体部１１の内部には、施工時に周囲の床８５，８６上に敷設されるモルタルやタイル等からなる舗装材１９と同じ舗装材１９が充填される。尚、カバー体２を構成する主筐体部１１の前壁部１１ｂが、本発明にかかるカバー体の前端に相当する（図３参照）。
【００２１】
上記の端部カバー板１２は、ステンレス製又はスチール製の長方形状の鋼板からなり、主筐体部１１の前壁部に蝶番１４を介して接続されている。端部カバー板１２は、該蝶番１４によって、上下方向に傾動可能となっている（図９，１０参照）。また、端部カバー板１２の左右両端には、略三角形状の側板部１５，１５が設けられている。この側板部１５は、図３に示すように、その上縁が端部カバー板１２の底面に溶接を介して固着され、該上縁の前端から後方へ下り勾配で傾斜する第一傾斜縁１５ａと、該上縁の後端から前方へ下り勾配で傾斜する第二傾斜縁１５ｂとを備える。端部カバー板１２は、水平方向に沿った状態から下方へ傾動した際に、前記側板部１５，１５の第二傾斜縁１５ｂ，１５ｂが主筐体部１１の前壁部に当接して、これ以上傾動できないようなっている（図１０参照）。
【００２２】
また、カバー体２の一端（後端）２ａに設けられた上記の被連結部２１は、ステンレス製又はスチール製の鋼板からなり、図４，５に示すように、カバー体２を構成する主筐体部１１の下方に配設された帯板状の乗載板部２２ａと、該乗載板部２２ａの後端から立設された上記外板部２２ｂと、該乗載板部２２ａの前端から立設されて該主筐体部１１の底板部１１ａの底面に接合された下壁部２２ｃとを備え、該乗載板部２２ａ、外板部２２ｂ、および下壁部２２ｃが、カバー体２の横方向に亘って設けられている。そして、主筐体部１１の左右の側壁部は、その後端部が下方に延成されており、乗載板部２２ａ、外板部２２ｂ、および下壁部２２ｃと夫々溶接されている。また、主筐体部１１の底板部１１ａには、上記乗載板部２２ａの両側端の直上に位置する部位に、上下方向に貫通する開口部（図示せず）が夫々形成されており、各開口部に、角パイプ状の区画筒２４が夫々嵌入されて配設されている。各区画筒２４は、その下端が乗載板部２２ａに溶接され、かつその外面が主筐体部１１の底板部１１ａに溶接されており、各区画筒２４により夫々囲繞された内部に、上記の舗装材１９が充填されない内部空隙を形成している。
【００２３】
さらに、被連結部２１には、各区画筒２４を配設した両側部位に、後述する連結杆３３と案内板部３７とを下方から遊嵌可能な挿通孔２６が夫々形成されている。各挿通孔２６は、乗載板部２２ａに開口形成された、前後方向（目地８３の幅方向）に沿った長孔状の横孔２６ａと、外板部２２ｂおよび区画筒２４に開口形成された、該横孔２６ａの後端から上方に連続する長孔状の縦孔２６ｂとから構成されてなる。各横孔２６ａは、連結杆３３と案内板部３７と遊嵌可能であると共に、各縦孔２６ｂは、該案内板部３７を遊嵌可能である。
【００２４】
また、建造物８１の床８５の側縁に設けられた上記の連結部３１は、図４，５に示すように、ステンレス製又はスチール製の鋼板から形成された保持受枠３２を備え、該保持受枠３２が目地８３に沿って配設されている。保持受枠３２は、水平受縁３２ａと該水平受縁３２ａの後端から上方に立ち上がる垂直縁３２ｂとを備えた断面Ｌ形に形成されており、該水平受縁３２ａに、上述したカバー体２の乗載板部２２ａが乗載される。そして、この保持受枠３２は、水平受縁３２ａに該乗載板部２２ａが乗載された状態で、カバー体２の上面が、建造物８１の床８５の上面と略面一となるように、該床８５の側縁に配設される。また、保持受枠３２には、カバー体２の被連結部２１に設けられた挿通孔２６に対応する部位に、ステンレス製又はスチール製の鋼板からなる案内板部３７が配設されている。案内板部３７は、目地８３の幅方向に沿って延在し、垂直縁３２ｂに向けて下り勾配で傾斜して該垂直縁３２ｂに達する案内傾斜面３８を備える。そして、この案内板部３７は、水平受縁３２ａと垂直縁３２ｂとに夫々溶接されている。各案内板部３７，３７は、保持受枠３２の水平受縁３２ａ上にカバー体２の乗載板部２２ａが乗載された状態で、被連結部２１の両側端に夫々設けられた挿通孔２６に下方（及び後方）から遊嵌されると共に、該カバー体２の外板部２２ｂが該保持受枠３２の垂直縁３２ｂと極僅かな隙間（約２ｍｍ以下）を介して近接する。ここで、被連結部２１が保持受枠３２に乗載された常態では、挿通孔２６の縦孔２６ｂの上端が該案内板部３７の案内傾斜面３８上に当接されている。また、案内傾斜面３８の傾斜角度は、４０°〜５０°程度の急勾配に設定されていることから、該案内傾斜面３８上に乗り上げた被連結部２１の外板部２２ｂを自重によって滑り落とすことができる。
【００２５】
さらに、保持受枠３２の水平受縁３２ａには、その下面側から挿通して溶接を介して固着されたボルトからなる連結杆３３が、上記被連結部２１の挿通孔２６，２６を構成する横孔２６ａ，２６ａに対応する部位に夫々立設されている。各連結杆３３は、案内板部３７の目地８３側に隣接されており、該案内板部３７と溶接を介して固着されている。また、各連結杆３３は、その上部が、上記の案内板部３７の上端よりも上方へ突出するように設けられている。こうした各連結杆３３は、上述したように、保持受枠３２の水平受縁３２ａ上にカバー体２の乗載板部２２ａが乗載された状態で、該乗載板部２２ａに設けられた各横孔２６ａに下方から遊嵌される。そして、この状態で、鍔または座金を備えたナットからなる抜け止め部材４０が、連結杆３３の上部に螺合されて装着されている。抜け止め部材４０は、前記挿通孔２６の横孔２６ａおよび縦孔２６ｂよりも広幅に形成されていることから、カバー体２の被連結部２１が上方または前方へ脱出してしまうことを防止できる。ここで、抜け止め部材４０の装着位置は、水平受縁３２ａとの間隔がカバー体２の主筐体部１１の厚み寸法よりも長い所定位置である。これにより、保持受枠３２に乗載された被連結部２１は、前記主筐体部１１の厚みよりも長い距離を上方へ移動可能であることから、後述のようにカバー体２の全体を上方へスライドできる（図１０，１１参照）。また、抜け止め部材４０は、連結杆３３に装着された状態で、カバー体２の外板部２２ｂと所定間隔をおいて離れている。そして、カバー体２の外板部２２ｂと保持受枠３２の垂直縁３２ｂとに極僅かな隙間があることから、カバー体２が傾動可能である（図９，１０参照）。また、こうした被連結部２１の挿通孔２６，２６が形成された上記の区画筒２４の上部開口は、抜け止め部材４０の取り付け作業等を可能とする作業用口となっており、遮蔽蓋４１が着脱可能に取り付けられる。尚、上述したカバー体２の被連結部２１と連結部３１とにより、本発明にかかる連結手段が構成されている。
【００２６】
上述したカバー体２は、地震の発生していない常態（図１，２の状態）で、その自由端（前端）２ｂが、図３に示すように、主筐体部１１の前壁部１１ｂ（カバー体２の前端）と上記した摺動受枠６１の水平受縁６２の前端（傾斜受縁６３の後端）との間に適宜幅の間隔ｔ１を生ずるように、該摺動受枠６１の水平受縁６２上に乗載される。そして、この常態で、主筐体部１１の前壁部１１ｂ（カバー体２の前端）と摺動受枠６１の傾斜受縁６３の前端（床受縁６４の後端）との間に適宜幅の間隔ｔ２を生じている。尚、この傾斜受縁６３の前端が、本発明にかかる傾斜受縁６３の外端に相当する。また、端部カバー板１２は、建造物８２の床８６側に向けて突出されて、摺動受枠６１の床受縁６４上に乗載されている。この端部カバー板１２によって、前記前壁部１１ｂと床受縁６４との間隙の上方が遮蔽される。
【００２７】
次に、本発明の要部について説明する。
カバー体２を構成する主筐体部１１の底板部１１ａには、その下面に、図１，２，６に示すように、下方に突出する跳上凸部５１，５１が配設されている。跳上凸部５１は、半円筒状をなし、その筒幅方向が目地方向に沿うようにして、底板部１１ａの下面に溶接を介して接合されており、二個の跳上凸部５１，５１が、該目地方向に所定間隔をおいて一列状に設けられている。この跳上凸部５１は、図７，８に示すように、断面半円弧形の半円周面部５２と、該半円周面部５２の両端を閉鎖する半円形の側板部５３，５３とから構成されてなり、半円周面部５２の両側縁に、内側に折り曲げられた折曲端縁５４，５４が形成されている。ここで、跳上凸部５１の半円周面部５２にあって、上記した摺動受枠６１に対向する前側の前端から下端に至る部分が、本発明にかかる湾曲凸面部５２ａである。尚、跳上凸部５１は、ステンレス製又はスチール製の鋼板から形成される。
【００２８】
この跳上凸部５１は、底板部１１ａの下面から下方へ突出した上下方向高さが、カバー体２の厚みと略同じ寸法に設定されている。これにより、カバー体２の自由端２ｂが摺動受枠６１の床受縁６４に乗載され、かつ跳上凸部５１が該摺動受枠６１の水平受縁６２上に乗載されることで、該カバー体２が略水平方向に沿った状態で保たれ得る（図１１（Ｂ）参照）。
【００２９】
また、こうした跳上凸部５１は、地震のない常態で、図６に示すように、湾曲凸面部５２ａの前端（半円周面部５２の前端）が摺動受枠６１の水平受縁６２の後端と所定間隔ｓをおいて位置するように、該カバー体２に配設されている。ここで、跳上凸部５１と摺動受枠６１の水平受縁６２との前記間隔ｓは、カバー体２の前壁部１１ｂと該摺動受枠６１の傾斜受縁６３の後端との間隔ｔ１（図３参照）よりも長く、かつ該前壁部１１ｂと傾斜受縁６３の前端との間隔ｔ２（図３参照）よりも短い所定寸法に設定されている。これにより、目地８３を介して隣合う建造物８１，８２が近接方向へ移動した場合に、カバー体２の前壁部１１ｂ（又は端部カバー板１２の側板部１５，１５）が摺動受枠６１の傾斜受縁６３に当接し（図９（Ｂ）参照）、その後、該前壁部１１ｂが該傾斜受縁６３の前端に達する前に、跳上凸部５１の湾曲凸面部５２ａが前記水平受縁６２の後端に当接する（図１０（Ａ）参照）。尚、摺動受枠６１の水平受縁６２の後端が、本発明にかかる摺動受枠６１の目地側端（水平受縁６２の目地側端）に相当する。
【００３０】
上述した本実施例の床用目地カバー装置１の作動態様を、以下に説明する。
床用目地カバー装置１は、上述したように、隣接する建造物８１，８２間の目地８３を覆うようにカバー体２が差し渡されて配設されており、地震の無い常態で、図９（Ａ）に示すように、カバー体２の自由端２ｂが摺動受枠６１の水平受縁６２上に摺動可能に乗載されている。この常態で、カバー体２の跳上凸部５１，５１は、目地８３内の、摺動受枠６１の水平受縁６２の後端から所定間隔ｓだけ離間した位置にある（図６参照）。また、カバー体２は、常態で、舗装材１９が充填された主筐体部１１の上面が、建造物８１の床８５の上面および建造物８２の床８６の上面と略面一となるように、略水平方向に沿って目地８３に差し渡されて配設される。
【００３１】
床用目地カバー装置１は、地震の際に、建造物８１と建造物８２とが近接する方向に相対変位すると、カバー体２の自由端２ｂが摺動受枠６１の水平受縁６２上を摺動して、該カバー体２の前壁部１１ｂ（又は端部カバー板１２の側板部１５，１５の各第一傾斜縁１５ａ，１５ａ）が該摺動受枠６１の傾斜受縁６３に当たる。これに伴って、カバー体２は、図９（Ｂ）に示すように、自由端２ｂが傾斜受縁６３上を斜め上方へ進むことにより、被連結部２１を支点として傾動する。さらに、前記近接方向への相対変位が進むと、摺動受枠６１の水平受縁６２の後端に、跳上凸部５１，５１が当たる。そして、図１０（Ａ），（Ｂ）に示すように、跳上凸部５１の湾曲凸面部５２ａが水平受縁６２上に乗り上げていくことにより、カバー体２の跳上凸部５１の配設部位が上方へ持ち上がり、該カバー体２の被連結部２１が連結部３１（保持受枠３２の水平受縁３２ａ）に対して上方へ移動していく。これにより、カバー体２は、その傾斜角度が序々に小さくなっていき、図１１に示すように、跳上凸部５１，５１が水平受縁６２上に乗載されると、該跳上凸部５１，５１と床受縁６４上に乗載された自由端２ｂとによって、略水平方向に沿った状態となる。このように、カバー体２が建造物８２の床８６に乗り上げて略水平方向に沿った状態を、以下、乗り上げ状態という。そして、この乗り上げ状態は、カバー体２が常態から上方へ略平行にスライドした状態であり、該カバー体２が、前記のように自由端２ｂと跳上凸部５１，５１とにより安定して支持されている。尚、この乗り上げ状態から、建造物８１，８２が逆方向（離れる方向）に相対変位すると、跳上凸部５１，５１が水平受縁６２の後端から後方へ移動することにより、カバー体２の被連結部２１が下方へ移動して、該カバー体２が傾動し、さらに変位が進むことで、カバー体２の前端２ｂが水平受縁６２上に乗載されることで元に戻る。
【００３２】
このように床用目地カバー装置１は、隣合う建造物８１，８２が地震により近接方向に相対変位した際に、その変位量が小さい範囲（上記した間隔ｓ）で、カバー体２が傾動して摺動受枠６１上を摺動し、該変位量が大きくなると、カバー体２が上記の乗り上げ状態となって摺動受枠６１上を摺動する。そして、この近接方向へ変位する際に、カバー体２は、跳上凸部５１が摺動受枠６１の水平受縁６２に乗り上げることにより、前記傾動した状態から乗り上げ状態へスムーズに変わる。ここで、跳上凸部５１の、水平受縁６２の後端に当たって乗り上げる湾曲凸面部５２ａは、断面半円弧状の半円周面部５２の前側の部分であることから、近接方向への僅かな変位で、該跳上凸部５１の配設部位を上方へ大きく移動させることができる。そのため、カバー体２の前壁部１１ｂ（又は、端部カバー板１２）が傾斜受縁６３に支持されたまま、該カバー体２が水平方向に沿った状態へ変わり得る（図９（Ｂ）参照）。すなわち、カバー体２は、傾動状態から乗り上げ状態へ変わる間でも、その前端２ｂと跳上凸部５１とにより支持されており、比較的安定している。
【００３３】
さらに、上記した近接方向への変位量が小さい範囲では、図９（Ｂ）に示すように、カバー体２の前端２ｂが傾斜受縁６３に乗り上がることによって、該カバー体２の後端２ａを支点として該カバー体２が傾動することから、その傾斜角度が比較的小さく、該前端２ｂが建造物８２の床８６（床受縁６４）上に突出する高さが、該カバー体２の厚み（跳上凸部５１の高さ）以下である。そして、カバー体２の後端２ａは、建造物８１の床８５とに段差を生じない。一方、前記変位量が大きくなった場合には、図１１のように、カバー体２の全体が建造物８２の床８６上に乗り上げた状態となることから、該カバー体２が、その厚み分だけ該床８６上に突出している。そして、カバー体２の両端２ａ，２ｂには、該カバー体２の厚み分の段差を生じている。
【００３４】
また、地震の際に、目地８３を介して隣合う建造物８１，８２は、水平方向に大きく相対変位するだけでなく、上下方向にも相対変位する。この上下方向への相対変位は、水平方向への変位に比べれば極小さいものの、該上下方向の変位を生ずると、カバー体２が傾動する場合がある。例えば、図１１（Ｂ）に示すようにカバー体２の跳上凸部５１，５１が摺動受枠６１の水平受縁６２上に乗載されている乗り上げ状態（隣合う建造物８１，８２が近接方向に相対変位した状態）で、建造物８１が下方へ変位（又は建造物８２が上方へ変位）すると、図１２（Ａ）に示すように、カバー体２は、後端２ａに向かって下り傾斜する。すなわち、カバー体２の被連結部２１と連結部３１との連結部分では、該連結部３１が相対的に下方へ変位することで、該被連結部２１の挿通孔２６の孔縁に、該連結部３１の連結杆３３に装着された抜け止め部材４０が係止されて、該カバー体２の後端２ａが被連結部２１および連結部３１を介して下方へ移動される。これにより、カバー体２は、摺動受枠６１の水平受縁６２に乗載された跳上凸部５１，５１が転動して、後端２ａに向かって下り傾斜する。この際に、跳上凸部５１が、その半円周面部５２により水平受縁６２上で円滑に揺動できることから、カバー体２がスムーズに傾動できる。そして、この傾動した状態で、水平方向へ相対変位しても、跳上凸部５１の半円周面部５２により水平受縁６２上をスムーズに摺動できる。
【００３５】
尚、地震の際に、上記した乗り上げ状態（跳上凸部５１，５１が水平受縁６２上に乗載されている状態）で、建造物８１が上方へ変位（又は建造物８２が下方へ変位）した場合には、図１２（Ｂ）に示すように、カバー体２がほとんど傾斜しない。これは、連結部３１の、被連結部２１に対する上方への変位を、カバー体２が上記常態に比して上方へスライドしたことで生じた該連結部３１の保持受枠３２（水平受縁３２ａ）と被連結部２１の乗載板部２２ａとの間隙により、吸収できることに因る。
【００３６】
さらにまた、地震の際に、隣合う建造物８１，８２が近接する方向へ相対変位すると共に目地８３の方向へも相対変位すると、跳上凸部５１の湾曲凸面部５２ａが摺動受枠６１の水平受縁６２の後端に斜めに当たる（図示せず）。このように斜めに当たった場合にも、跳上凸部５１は、その湾曲凸面部５２ａの両側縁に形成された折曲端縁５４により、水平受縁６２に乗り上げ易く、カバー体２が傾動した状態から水平方向の状態へスムーズに変わり得る。
【００３７】
上述した本実施例の床用目地カバー装置１は、地震により両建造物８１，８２が近接方向へ相対変位した際に、カバー体２が、傾動し、その後に、上記した乗り上げ状態（建造物８２の床８６上に乗り上がった状態）へ変わるように作動する。そして、カバー体２は、乗り上げ状態で、該自由端２ｂと水平受縁６２上に乗載された跳上凸部５１とにより安定して支持されると共に、前記傾動状態から該乗り上げ状態へ変わる間であっても、該カバー体２の前壁部１１ｂが傾斜受縁６３に支持され且つ跳上凸部５１が水平受縁６２の後端に支持されることから、比較的安定して支持される。これにより、例えば、地震により両建造物８１，８２が近接方向に比較的小さく変位して止まったとしても、カバー体２が安定して支持されることから、被災者が該カバー体２の上を安定して通行することができる。
【００３８】
さらに、両建造物８１，８２の近接方向への変位が比較的小さく、カバー体２が傾動した状態では、該カバー体２の自由端２ｂで床８６とに段差を生ずるものの、後端２ａ（被連結部２１）では床８５とにほとんど段差を生じない。そして、自由端２ｂで生じた段差は、カバー体２の厚みよりも低い。一方、図１３，１４に示す上述した従来の、傾斜面部１２２を有する支持部材１２１をカバー体１１２の下面に配設した構成（特許文献１）では、前記にように両建造物１０１，１０２が近接方向へ比較的小さく変位した状態で止まると、支持部材１２１の傾斜面部１２２によりカバー体１１２が上方へ略平行にスライドすることで、当該カバー体１１２の両端に、段差を生じてしまう。この段差は、カバー体１１２の厚みよりも低いものの、該カバー体１１２の両端に生ずるため、車椅子やケガ人が通行する際に不便である。こうした従来構成に比して、前記のように本実施例の構成によれば、カバー体２の後端２ａに段差を生じないことから、車椅子やケガ人が通行し易くなるという利点がある。
【００３９】
また、上述したように、両建造物８１，８２が近接方向へ比較的大きく変位して、跳上凸部５１が摺動受枠６１の水平受縁６２上に乗載されると共に、一方の建造物８１が下方へ変位すると、カバー体２が傾動する。これは、跳上凸部５１が半円周面部５２により円滑に転動できることに因り、カバー体２がスムーズに傾動できると共に揺動できる。そして、こうしてカバー体２が傾動した状態で（図１２（Ａ）参照）、水平受縁６２上を摺動しても、跳上凸部５１の半円周面部５２により該水平受縁６２上をスムーズに摺動できる。一方、上述した従来構成（特許文献１）では、同様に、その支持部材１２１が水平受縁１３２上に乗載された状態で、一方の建造物１０１が下方へ変位すると、図１４（Ｂ）に示すように該支持部材１２１の下端を支点としてカバー体１１２が傾動する。この際には、断面略三角形状の支持部材１２１の下端に局所的に大きな力が掛かることから、水平受縁１３２上における摺動性が低減し、建造物１０１，１０２の水平方向への変位に追従し難くなる。さらに、この傾動した状態で水平方向へ変位すると、支持部材１２１が水平受縁１３２上を無理に摺動することにもなり得るため、該水平受縁１３２や支持部材１２１に変形や損傷などを生ずる虞がある。こうした従来構成に比して、本実施例の構成は、前記のように跳上凸部５１がスムーズに傾動できると共に、傾動した状態で水平受縁６２上をスムーズに摺動できることから、該従来構成の前記問題点を生じない。
【００４０】
このように本実施例にあって、カバー体２の跳上凸部５１は、断面半円弧状の半円周面部５２を備えたものであり、その前側の湾曲凸面部５２ａが、該カバー体２を傾動状態から乗り上げ状態へ変わるために働くものであり、該半円周面部５２の後側の部分が、該カバー体２を後端２ａに向けて下方傾斜する傾動を円滑に行い且つ当該傾動したままで水平方向へスムーズに摺動できるように働くものである。さらに、半円周面部５２の中央部分（下端部分）が、該跳上凸部５１を摺動受枠６１の水平受縁６２上でスムーズに摺動できるものとなっている。すなわち、跳上凸部５１は、半円弧状の半円周面部５２を備えた半円筒状（又は半円柱状）であることにより、カバー体２の複数の動きをスムーズかつ安定して行い得るに適したものである。
【００４１】
本発明にあっては、上述した実施例に限定されるものではなく、この実施例以外の構成についても本発明の趣旨の範囲内で適宜変更して実施可能である。
例えば、上述した実施例では、跳上凸部５１が、断面半円弧状の半円周面部５２を備えた構成であるが、この他の構成として、断面円弧状の湾曲凸面部を前側に備え、かつ該湾曲凸部面部の後端から水平方向に沿って後方へ延成された跳上平面部を備えた跳上凸部が、カバー体の下面に配設された構成としても良い。かかる別例の構成であっても、上述した実施例と同様に、両建造物が近接方向へ相対変位すると、カバー体が、傾動し、その後に、乗り上げ状態に変わる。これにより、地震により両建造物８１，８２が近接方向に比較的小さく変位して止まったとしても、カバー体２が安定して支持され、被災者が該カバー体２上を安定して通行できる。さらに、こうした比較的小さな変位で止まった場合に、カバー体の自由端のみで段差を生ずることから、上述した実施例と同様に、車椅子などが通行し易くなる。
【符号の説明】
【００４２】
１  床用目地カバー装置
２  カバー体
２ａ  後端（一端）
２ｂ  前端（他端）
５１  跳上凸部
５２  半円周面部
５２ａ  湾曲凸面部
５４  折曲端縁
６１  摺動受枠
６２  水平受縁
６３  傾斜受縁
８１，８２  建造物
８３  目地
【図１】
2018044308.tif 000003
【図２】
2018044308.tif 000004
【図３】
2018044308.tif 000005
【図４】
2018044308.tif 000006
【図５】
2018044308.tif 000007
【図６】
2018044308.tif 000008
【図７】
2018044308.tif 000009
【図８】
2018044308.tif 000010
【図９】
2018044308.tif 000011
【図１０】
2018044308.tif 000012
【図１１】
2018044308.tif 000013
【図１２】
2018044308.tif 000014
【図１３】
2018044308.tif 000015
【図１４】
2018044308.tif 000016